(57)【特許請求の範囲】
【請求項１】
履き口部、レッグ部、踵部、足部、及び爪先部から構成された靴下の編成方法であって、
踵部を編成する踵部編成工程と、
前記足部及びレッグ部の各編成起端となる起端紐を、前記踵部編成工程で編成された踵部の周縁において対向する２点間に、鎖編によって架設する起端紐架設工程と、
この起端紐架設工程で架設された起端紐の一側縁と、前記踵部の周縁において前記起端紐の一側縁に連なる縁部とを足部側起端として該足部側起端から筒編みを行って前記足部を編成し、該足部が所定長に達したらその先端縁から目数を減らしながら筒編みを継続し該足部の先端開口部を閉じて前記爪先部を編成する足部・爪先部編成工程と、
前記起端紐架設工程で架設された起端紐の他側縁と、前記踵部の周縁において前記起端紐の他側縁に連なる縁部とをレッグ部側起端として該レッグ部側起端から筒編みを行って前記レッグ部を編成し、該レッグ部が所定長に達したらその先端開口縁から前記履き口部を編成するレッグ部・履き口部編成工程と、
を含むことを特徴とする靴下の編成方法。
【発明の詳細な説明】
【技術分野】
【０００１】
本発明は、靴下の編成方法に関する。
【背景技術】
【０００２】
毛糸の靴下を編む方法としては、例えば、図６に示す編み図（但し、図示例は概略図）に従った編成方法が従来周知である。すなわち、輪編みで履き口部Ａからメリヤス編みにより爪先部Ｆに向かって編み始め、レッグ部Ｂはメリヤス編み又は模様編みで編んでいく。踵部Ｃの始端に達したら、輪編みを二等分し、足甲部Ｄ側の目Ｂ１を休ませる一方、残りの側の踵部Ｃ側をメリヤス編みで往復編みにより編み進む。その際、踵部Ｃを踵に沿う立体的な湾曲面に形成するため、踵部Ｃの途中までの区間Ｃ１で減らし目を行い、その後の区間Ｃ２で増し目を行う。このようにして踵部Ｃを完成させたら、休ませておいた目のところから再び輪にして足底部Ｅと足甲部Ｄを編む。爪先部Ｆに達したら減らし目を行いながら輪編みをし、最後に休み目Ｆ１をメリヤス接ぎして靴下（図７参照）を完成する（例えば、非特許文献１参照）。
【０００３】
また、その他の編成方法として、レッグ部と、足甲部及び足裏部とをそれぞれ輪編みとしてゴム編みにより編み、踵部の少なくとも一部を袋編みで編む方法（例えば、特許文献１参照）や、踵部を、立体形状を編むのに適した引き返し編みで編む方法がある。
【先行技術文献】
【特許文献】
【０００４】
【非特許文献１】「手編みのくつした」、レディブティックシリーズ通巻３３２１号、ブティック社、２０１１年１１月３０日、ｐ．３３−６７
【特許文献１】登録実用新案第３１５９３９８号公報
【発明の概要】
【発明が解決しようとする課題】
【０００５】
しかしながら、上記非特許文献１に開示されているような従来周知の編成方法にあっては、靴下全体を輪編みにより編成していくうえ、特に、踵部の編成時に減らし目と増し目を行う必要があるため、極めて煩瑣であり、初心者でも簡単に行えるとは到底云えるようなものでなかった。この点、上記特許文献１に開示されている編成方法では、前者の方法に比べて簡単に靴下を編むことができるものの、踵部の編成に袋編みを採用しているため、やはり初心者にとって簡単ではなかった。また、引き返し編みは、踵部を好ましい立体形状に編成し得るものではあるが、難度の極めて高い編み方であるため、これもまた初心者にとって簡単ではなかった。
【０００６】
本発明は、係る点に鑑みて創案されたものであり、その目的とするところは、踵に沿った立体形状を呈する踵部を備えた靴下を熟練度に拘らず誰もが簡単に編成することのできる靴下の編成方法及びその方法により編成された靴下を提供しようとするものである。
【課題を解決するための手段】
【０００７】
上記した目的を達成するため、本発明に係る靴下の編成方法は、履き口部、レッグ部、踵部、足甲部、足裏部、及び爪先部から構成された靴下の編成方法を前提としている。そのうえで、踵部を編成する踵部編成工程と、前記足部及びレッグ部の各編成起端となる起端紐を、前記踵部編成工程で編成された踵部の周縁において対向する２点間に、鎖編によって架設する起端紐架設工程と、この起端紐架設工程で架設された起端紐の一側縁と、前記踵部の周縁において前記起端紐の一側縁に連なる縁部とを足部側起端として該足部側起端から筒編みを行って前記足部を編成し、該足部が所定長に達したらその先端縁から目数を減らしながら筒編みを継続し該足部の先端開口部を閉じて前記爪先部を編成する足部・爪先部編成工程と、前記起端紐架設工程で架設された起端紐の他側縁と、前記踵部の周縁において前記起端紐の他側縁に連なる縁部とをレッグ部側起端として該レッグ部側起端から筒編みを行って前記レッグ部を編成し、該レッグ部が所定長に達したらその先端開口縁から前記履き口部を編成するレッグ部・履き口部編成工程と、を含むことを特徴とするものである。
【０００８】
このような特定事項により、踵部を平面的に編むだけであるにも拘らず、踵に沿った立体形状を呈する踵部を備えた靴下を誰もが簡単に編成することができる。すなわち、減らし目や増し目を行わずとも、また、袋編みや引き返し編みといった難度の高い編み方をせずとも、踵に沿った立体形状を呈する踵部を備えた靴下を編成することができる。
【０００９】
また、すべての工程をかぎ針だけでも容易に行うことができるため、編物の初心者であっても短時間で簡単に靴下を編むことができる。
【００１０】
さらに、踵部を単独で編成するものであるから、歩行時にどこよりも衝撃を受ける踵部を他の部位に比べて厚く編成することも簡単にできるとともに、踵部に好みのデザインを施し易いため、踵部をワンポイントにしたオリジナルの靴下を容易に編成することができる。
【発明の効果】
【００１１】
本発明によれば、踵部を立体的に編成するための前記したような難しい技術が一切不要となるので、初心者でも簡単に靴下を編成することができる。
【図面の簡単な説明】
【００１２】
【図１】踵部を示す模式図である。
【図２】踵部に起端紐を架設した状態を示す概略斜視図である。
【図３】足部・爪先部編成工程を完了した状態を示す概略斜視図である。
【図４】レッグ部・履き口部編成工程の途中を示す概略斜視図である。
【図５】レッグ部・履き口部編成工程を完了した状態を示す概略斜視図である。
【図６】従来の靴下の編成方法の一例を示す編み図である。
【図７】図６に示す編み図に基づいて編成された従来の靴下を示す概略斜視図である。
【発明を実施するための形態】
【００１３】
以下、本発明に係る靴下の編成方法の一実施形態について、図面を参照して説明する。
【００１４】
図１は、踵部を示す模式図、図２は、踵部に起端紐を架設した状態を示す概略斜視図、図３は、足部・爪先部編成工程を完了した状態を示す概略斜視図、図４は、レッグ部・履き口部編成工程の途中を示す概略斜視図、図５は、レッグ部・履き口部編成工程を完了した状態を示す概略斜視図である。
【００１５】
この靴下１の編成方法は、図２に示すように、履き口部２、レッグ部３、踵部４、足部５、及び爪先部６から構成された靴下１の編成方法である。この編成方法の特徴は、踵部４を編成する踵部編成工程と、足部５及びレッグ部３の各編成起端となる起端紐７を、踵部編成工程で編成された踵部４の周縁において対向する２点間に、鎖編によって架設する起端紐架設工程と、この起端紐架設工程で架設された起端紐７の一側縁７ａと、踵部４の周縁において起端紐７の一側縁７ａに連なる縁部４ａとを足部５側起端として該足部５側起端から筒編みを行って足部５を編成し、該足部５が所定長に達したらその先端縁から目数を減らしながら筒編みを継続し該足部５の先端開口部を閉じて爪先部６を編成する足部・爪先部編成工程と、起端紐架設工程で架設された起端紐７の他側縁７ｂと、踵部４の周縁において起端紐７の他側縁７ｂに連なる縁部４ｂとをレッグ部３側起端として該レッグ部３側起端から筒編みを行ってレッグ部３を編成し、該レッグ部３が所定長に達したらその先端開口縁から履き口部２を編成するレッグ部・履き口部編成工程と、を含むことにある。以下、詳述する。
【００１６】
＜踵部編成工程＞
まず、踵部４を編成する。すなわち、図１に示すように、かぎ針を用いて円形の踵部４を編成する。その際、他の部位よりも厚く編成すれば、踵部４における歩行時の衝撃を緩和することができる。また、複数の色の毛糸を用いて例えば車輪の模様のような任意のデザインとすることもでき、その場合、踵部４をワンポイントデザインにしたオリジナルの靴下１を編成することができる。
【００１７】
なお、この踵部４の形状は、円形である必要はなく、例えば、長方形、正方形、楕円、菱形、五角形、六角形等任意であり、踵に沿い易い形状であれば特に限定されない。
【００１８】
＜起端紐架設工程＞
次に、図２に示すように、上記の踵部４をその中心線に沿って二つ折りにするとともに、踵部４の周縁において対向する２点間に、鎖編によって起端紐７を架設する。具体的には、前記２点のうちの一方において踵部４の周縁にある目を少なくとも一つ拾い、その目から、例えばかぎ針を使って鎖編を行い、他方の点に向けて編んでいき、該他方の点に達したら、起端紐７の先端を該他方の点における踵部４の周縁にある目を拾ってこれと結合する。或いは、所定の長さの起端紐７を鎖編によって予め編成しておいてから、この起端紐７の両端部を前記２点にそれぞれ結合してもよい。ここで、前記２点は、必ずしも踵部４の中心を通る線上にある必要はなく、足部５とレッグ部３の接合具合を考慮して、該線上から前後いずれか一方にずれた位置にあってもよい。また、この起端紐７の長さは、踵部４を含む足首周りの寸法を考慮して決定すればよい。なお、起端紐７は、足部５とレッグ部３とを同色の毛糸で編成する場合は、これらと同じ色の毛糸を、また、足部５とレッグ部３とを異なる色の毛糸で編成する場合は、これらのうちのいずれか一方の毛糸と同じ色の毛糸を用いると、仕上がりにおいて起端紐７を目立たなくすることができる。或いは、敢えて異なる色の毛糸を使用することで、足首部分にアクセントを付与することもできる。
【００１９】
＜足部・爪先部編成工程＞
以上のようにして踵部４に起端紐７を架設したならば、図３に示すように、この起端紐７の一側縁７ａと、踵部４の周縁において起端紐７の一側縁７ａに連なる縁部４ａとを足部５側起端として該足部５側起端から筒編みを行って足部５を編成する。続いて、足部５が所定長に達したら、その先端縁から目数を減らしながら筒編みを継続し足部５の先端開口部を閉じて爪先部６を編成する。この編成工程もかぎ針を用いて行うことができるが、棒針を用いて行ってもよい。
【００２０】
＜レッグ部・履き口部編成工程＞
足部５及び爪先部６が完成したら、図４に示すように、上記の足部・爪先部編成工程と同様の要領で、起端紐７の他側縁７ｂと、踵部４の周縁において起端紐７の他側縁７ｂに連なる縁部４ｂとをレッグ部３側起端として該レッグ部３側起端から筒編みを行ってレッグ部３を編成する。そして該レッグ部３が所定長に達したら、最後にその先端開口縁から履き口部２を編成する。これで図５に示すように靴下１が完成する。なお、履き口部２をゴム編みとすれば、この部分に伸縮性を付与することができるので、この靴下１を履いたときに履き口部２がずり落ちる虞が少なくなる。
【００２１】
なお、上記の実施形態では、足部・爪先部編成工程を行った後にレッグ部・履き口部編成工程を行ったが、本発明はこれに限らず、レッグ部・履き口部編成工程を行った後に足部・爪先部編成工程を行ってもよい。
【産業上の利用可能性】
【００２２】
本発明は、毛糸の靴下を編成する場合に使用することができる。
【符号の説明】
【００２３】
１  靴下
２  履き口部
３  レッグ部
４  踵部
４ａ  起端紐７の一側縁７ａに連なる縁部
４ｂ  起端紐７の他側縁７ｂに連なる縁部
５  足部
６  爪先部
７  起端紐
７ａ  一側縁
７ｂ  他側縁
【図１】
0006633932.tif 000002
【図２】
0006633932.tif 000003
【図３】
0006633932.tif 000004
【図４】
0006633932.tif 000005
【図５】
0006633932.tif 000006
【図６】
0006633932.tif 000007
【図７】
0006633932.tif 000008